(57)【要約】  アイライナーステンシルは、第１上面および第１下面、第１外側輪郭、および第１層内で１つまたは複数の開口部を規定する第１内側輪郭を有する、透明な第１層を含む。そして、透明な部分と、もう１つの不透明な部分と、第２上面および第２下面と第２内側輪郭および第２外側輪郭とを含む第２層。第２内側輪郭は、１つまたは複数の不透明な部分を規定し、透明な部分と不透明な部分とを分離する。第２下面は、少なくとも部分的に第１上面に接着される。組立てられた配置では、不透明な部分は開口部の上に、少なくとも部分的に重なるように配置される。
2016523570.tif 000002
【特許請求の範囲】
【請求項１】
瞼にアイライナーを適用するためのアイライナーステンシル（１０、１１０）であって、
第１上面および第１下面（１６、１１６、１８、１１８）と、第１外側輪郭（２２、１２２、２２２）と、前記第１層（１２、１１２）内で１つまたは複数の開口部（２４、１２４）を規定する第１内側輪郭（２０、１２０）とを含む、少なくとも一部が透明な第１層（１２、１１２）と、
少なくとも一部が透明な部分（４０、１４０）と、１つまたは複数の不透明な部分（４２、１４２）と、第２上面および第２下面（３６、１３６、３８、１３８）と、第２内側輪郭および第２外側輪郭（３２、１３２、３４、１３４、２３４）とを含み、前記第２内側輪郭（３２、１３２）が前記１つまたは複数の不透明な部分（４２、１４２）を規定し、前記少なくとも一部が透明な部分と不透明な部分（４０、１４０、４２、１４２）とを分離する第２層（１４、１１４）と、を備え、内側輪郭および外側輪郭
組立てられた配置では、前記第２下面（３８、１３８）は、少なくとも一部で前記第１上面（１６、１１６）に接合され、前記不透明な部分（４２、１４２）は、前記開口部（２４、１２４）上に少なくとも部分的に重なるように配置される、アイライナーステンシル。
【請求項２】
前記不透明な部分（４２、１４２）が完全に開口部（２４、１２４）に重なる、請求項１に記載のステンシル（１０、１１０）。
【請求項３】
前記第１内側輪郭および前記第２内側輪郭（２０、１２０、３２、１３２）が同一の形状を有する、請求項１または２のいずれか１つに記載のステンシル（１０）。
【請求項４】
前記第１層および前記第２層（１４、１１４）は、互いの層を容易に除去できるように、いずれも接着剤で覆われていない各々の第１除去エッジおよび第２除去エッジ（４６、１４６）を有する、請求項１から３のいずれか１つに記載のステンシル（１０、１１０）。
【請求項５】
前記第１下面（１８、１１８）が、少なくとも部分的に透明な第１接着剤（２８、１２８）によって、少なくとも部分的に覆われている、請求項１から４のいずれか１つに記載のステンシル（１０、１１０）。
【請求項６】
前記第２下面（３８、１３８）が、少なくとも部分的に透明な第２接着剤（４４、１４４）によって、少なくとも部分的に覆われている、請求項１から５のいずれか１つに記載のステンシル（１０、１１０）。
【請求項７】
前記第１外側輪郭および前記第２外側輪郭（２２、１２２、３４、１３４）が同一の形状を有さない、請求項１から６のいずれか１つに記載のステンシル（１０、１１０）。
【請求項８】
前記第１外側輪郭および前記第２外側輪郭（２２２、２３４）が同一の形状を有する、請求項１から６のいずれか１つに記載のステンシル（１０、１１０）。
【請求項９】
請求項１から６、７または８のうちいずれか１つに記載のステンシル（１０、１１０）を使用するための、アイライナー適用方法であって、
ａ）組立てられた配置では、アイライナーの適用領域の位置を示すものとして、前記不透明な部分４２、１４２を使用しながら、前記ステンシル（１０、１１０）を瞼の上の所望の位置に配置し押圧する工程と、
ｂ）前記第１層（１２、１１２）から前記第２層（１４、１１４）を除去する工程と、
ｃ）アイライナー（２６）を前記第１内側輪郭（２０、１２０）内の前記瞼に適用する工程と、
ｄ）前記瞼から前記第１層（１２、１１２）を除去する工程と、を含むアイライナー適用方法。
【発明の詳細な説明】
【技術分野】
【０００１】
本出願の主題は化粧に関する。具体的には、アイライナーステンシルまたはテンプレートに関する。
【背景技術】
【０００２】
この分野のアイライナーステンシルは公知であり、米国特許第３４８５２５１号に開示されている。
【発明の概要】
【課題を解決するための手段】
【０００３】
本出願の主題によれば、瞼にアイライナーを適用するためのアイライナーステンシルが提供される。
アイライナーは、第１上面および第１下面と、第１外側輪郭と、第１層中に１つまたは複数の開口部を規定する第１内側輪郭とを有する、少なくとも部分的に透明な第１層を含む。
少なくとも部分的に透明な部分と、１つまたは複数の不透明な部分と、第２上面および第２下面と、第２内側輪郭および第２外側輪郭と、を含む第２層。第２内側輪郭は、１つまたは複数の不透明な部分を規定し、少なくとも部分的に透明な部分と不透明な部分とを分離する。第２下面は、少なくとも部分的に第１上面に接着されている。
組立てられた配置では、第１層および第２層が接合され、不透明な部分は開口部上に、少なくとも部分的に重なるように配置される。
【０００４】
本出願の主題によれば、さらにステンシルを使用するためのアイライナー適用方法が提供され、その方法は、以下のステップを含む。
ａ）組立てられた配置において、不透明な部分をアイライナー適用領域の場所の指標として使用しながら、瞼上の所望の位置にステンシルを配置し、押しつける。
ｂ）第１層から第２層を除去することにより、ステンシルを適用位置に移動させる。
ｃ）第１内側輪郭内の瞼にアイライナーを適用する。
ｄ）瞼から第１層を除去する。
【０００５】
以下の特徴の単独または組み合わせのいずれかを、本出願の主題の上記態様のいずれかに適用することができる。
【０００６】
不透明な部分が完全に開口部に重なっている。
【０００７】
第１内側輪郭および第２内側輪郭が同一の形状を有することができる。
【０００８】
第１層および第２層は、互いの層を容易に除去できるように、いずれも接着剤で覆われていない、各々の第１除去エッジおよび第２除去エッジを有することができる。
【０００９】
第１下面は、少なくとも部分的に透明な第１接着剤によって、少なくとも一部が覆われうる。
【００１０】
第２下面は、少なくとも部分的に透明な第２接着剤によって、少なくとも一部が覆われうる。
【００１１】
第１外側輪郭および第２外側輪郭は同一の形状を有さない。
【００１２】
第１外側輪郭および第２外側輪郭は同一の形状を有することができる。
【００１３】
本出願の主題をよりよく理解し、実際に主題がどのように実施されるかを示すために、添付の図面を参照する。
【図面の簡単な説明】
【００１４】
【図１】アイライナーステンシルが組立てられた配置にある平面図である。
【図２】図１のアイライナーステンシルの第１層の平面図である。
【図３】図１のアイライナーステンシルの第２層の平面図である。
【図４】アイライナーが適用されていない瞼の正面図である。
【図５】図１のアイライナーステンシルが瞼の上に配置されている図である。
【図６】第１層から第２層を除去または引き剥がす適切な方法を示す、図１のアイライナーステンシルの図である。
【図７】第１層のみ瞼上に残った状態で適用位置にある、図１のアイライナーステンシルの図である。
【図８】瞼にアイライナーが適用されている、図２の第１層の図である。
【図９】瞼から適切に除去される第１層の図である。
【図１０】アイライナーが適用されている瞼の図である。
【図１１】図１のアイライナーステンシルの断面図である。
【図１２】組立てられた配置にあるアイライナーステンシルの第２実施形態である。
【図１３】図１２のアイライナーステンシルの第１層の平面図である。
【図１４】図１２のアイライナーステンシルの第２層の平面図である。
【図１５】組立てられた配置にあるアイライナーステンシルの第３実施形態である。
【図１６】図１５のアイライナーステンシルの第１層の平面図である。
【図１７】図１５のアイライナーステンシルの第２層の平面図である。
【００１５】
対応または類似する要素を示すために参照番号が図面間で繰り返されても適切と考えられる。
【発明を実施するための形態】
【００１６】
以下の説明では、本出願の主題の様々な態様について述べる。説明の目的上、特定の構成および詳細は、本出願の主題の十分な理解を提供するために、十分に詳細に記載されている。しかし、当業者には、本出願の主題が本明細書に提示された特定の構成および詳細なしに実施できることも明らかであろう。
【００１７】
本出願の主題によれば、アイライナーステンシル１０、１１０（またはテンプレートとも呼ばれる）は、第１層および第２層１２、１１２、１４、１１４を含む。どちらの層も、たとえば、プラスチック、またはシリコンから作られうる。
【００１８】
図１に注目する。第１層１２は、少なくとも部分的に透明であり、第１上面および第１下面１６、１８と、第１内側輪郭および第１外側輪郭２０、２２とを有する。第１内側輪郭２０は、第１層１２中の開口部２４を取り囲む、または規定する。開口部２４は、第１上面および第１下面１６、１８に向かって開口している。本実施例では、第１内側輪郭２０は第１外側輪郭２２へ向かって広がっている。本実施例では、第１内側輪郭２０は、第１外側輪郭２２と交差する。
【００１９】
本開示において、透明という用語は、材料の透明性が、ほぼすべての光が通る“完全に透明”および、光が一部しか通らない“少なくとも部分的に透明”と変わりうる意味をもつものとみなす。
【００２０】
第１内側輪郭２０は細長い形状を有することができる。しかし、第１内側輪郭２０、１２０は任意の所望の形状を有することができることに留意されたい。開口部２４は、人間の瞼にアイライナー２６を容易かつ正確に適用できるように構成されている。したがって、瞼に適用されるアイライナー２６の最終的な形状は、第１内側輪郭２０の形状によって設定される。
【００２１】
第１下面１８は、再利用可能な第１接着材料２８または接着剤によって少なくとも部分的に覆われている。第１接着剤２８は、少なくとも部分的に透明である。第１接着剤２８は、人間の肌に適用するのに安全であるように選択されうる。また、第１接着剤２８は、たとえば人間の肌へ容易に適用でき、かつ容易に除去できるように構成される。言い換えると、第１接着剤２８は、永続するものではなく、第１層１２またはステンシル１０を、人間の肌へ容易に適用／除去することを可能にする。
【００２２】
第１層１２は、第１外側輪郭２２の端に第１除去エッジ３０を有することができる。本実施例では、第１除去エッジ３０は第２層１４のどの部分にも重ならない。したがって、第１除去エッジ３０を容易に保持することを可能にする。
【００２３】
第２層１４は、第２内側輪郭および第２外側輪郭３２、３４と、第２上面および第２下面３６、３８と、透明な部分および不透明な部分４０、４２と、を含む。透明な部分４０は、少なくとも部分的に透明である（必ずしも完全に透明ではない）。言い換えると、透明な部分４０は、使用者がその下の肌を見ることができるように十分に透明である。第２内側輪郭３２は、不透明な部分４２を取り囲み、または規定し、それぞれ２つの部分を分離する。しかしながら、第２内側輪郭３２、１３２は、任意の所望の形状をもちうることに留意されたい。第１内側輪郭および第２内側輪郭２０、３２は、同一の形状を有することができる。第２下面３８は、再利用可能な第２接着材料４４によって少なくとも部分的に覆われている。言い換えると、第２接着剤４４は永久接着を意図しておらず、再利用のために構成されている。第２下面３８は、透明な部分４０で、第２接着剤４４によって覆われうる。第２接着剤４４は、少なくとも部分的に透明である。第１接着剤および第２接着剤２８、４４は、同一の材料であってもよい。本実施例では、第１外側輪郭および第２外側輪郭２２、３４は、同一の形状を有さない（図１〜１４）。別の例では、第１外側輪郭および第２外側輪郭２２２、２３４は、同一の形状を有する（図１５〜１７）。
【００２４】
第２層１４は、第２外側輪郭３４の端に第２除去エッジ４６を有することができる。本実施例では、第２除去エッジ４６は接着剤で覆われていない。本実施例では、第２除去エッジ４６は、第１層１２のどの部分にも重なっていない。したがって、第２除去エッジ４６を容易に保持することを可能にする。
【００２５】
不透明な部分４２は、第２下面３８に接着剤がなくてもよい。
【００２６】
本出願の例示的な実施形態が示されている、図１２から１４に注目されたい。第１層１１２は、少なくとも部分的に透明であり、第１上面および第１下面１１６、１１８と、複数の第１内側輪郭１２０と、第１外側輪郭１２２と、を有する。それぞれの第１内側輪郭１２０は、第１層１１２内の各々の開口部１２４を取り囲むまたは規定する。開口部１２４は、第１上面および第１下面１１６、１１８に開いている。本実施形態において、第１内側輪郭１２０は、第１外側輪郭１２２に向かって広がっていない。本実施形態において、第１内側輪郭１２０は第１外側輪郭１２２と交差しない。本実施形態では、第１内側輪郭１２０は、星形である。
【００２７】
第１下面１１８は、再利用可能な、第１接着材料１２８または接着剤によって、少なくとも部分的に覆われている。第１接着剤１２８は、少なくとも部分的に透明である。第１接着剤１２８は、人間の肌に適用するのに安全であるように選択されうる。また、第１接着剤１２８は、たとえば人間の肌へ容易に適用でき、かつ容易に除去できるように構成される。言い換えると、第１接着剤１２８は、永続するものではなく、第１層１１２またはステンシル１０を人間の肌へ容易に適用／除去することを可能にする。
【００２８】
第１層１１２は、第１外側輪郭１２２の端に第１除去エッジ１３０を有することができる。本実施例では、第１除去エッジ１３０は、第２層１１４のどの部分にも重なっていない。したがって、第１除去エッジ１３０を容易に保持することを可能にする。
【００２９】
第２層１１４は第２内側輪郭１３２および第２外側輪郭１３４と、第２上面および第２下面１３６、１３８と、透明な部分および不透明な部分１４０、１４２と、を含む。それぞれの第２内側輪郭１３２は、各々の不透明な部分１４２を取り囲み、または規定し、それぞれ２つの部分を分離する。第１内側輪郭および第２内側輪郭１２０、１３２は、同一の形状を有することができる。第２下面１３８は、再利用可能な第２接着材料１４４によって少なくとも部分的に覆われている。第２接着剤１４４は、少なくとも部分的に透明である。第１接着剤および第２接着剤１２８、１４４は、同じ材料であってもよい。本実施例では、第１外側輪郭および第２外側輪郭１２２、１３４は、同一の形状を有していない。
【００３０】
第２層１１４は、第２外側輪郭１３４の端に第２除去エッジ１４６を有することができる。本実施例では、第２除去エッジ１４６は、接着剤によって覆われていない。本実施例では、第２除去エッジ１４６は、第１層１１２のどの部分にも重ならない。したがって、第２除去エッジ１４６を容易に保持することを可能にする。ステンシル１０、１１０は、組立てられた配置および適用位置を有することができる。組立てられた配置（図１、５〜６）では、第１層および第２層１２、１１２、１４、１１４は接合、または互いに接着され、第２下面３８、１３８は、第１上面１６、１１６に（接着剤／粘着剤によって、またはよらずに）接している。２つの層は、第２接着剤４４、１４４（図１、５、１１、および１２）によって互いに接着されうる。組立てられた配置では、ステンシル１０、１１０は、瞼上で正しい方向を選択するために使用することも、再利用のためにケースに保管されることもできる。組立てられた配置では、不透明な部分４２、１４２が開口部２４、１２４の上方または上にある。不透明な部分４２、１４２は、開口部２４、１２４（図５）に重なりうる。本実施例では、不透明な部分４２、１４２は、完全かつ正確に、開口部２４、１２４に重なる。言い換えると、第１内側輪郭および第２内側輪郭２０、１２０、３２、１３２は、同一の形状とサイズとを有することができる。開口部２４、１２４に対する不透明な部分４２、１４２の位置の理由は、使用者が瞼の上で不透明な部分４２、１４２の正しい向きを選択し、そうすることで、結果的に使用者は、最終的にアイライナー２６を瞼に適用する位置を設定する。言い換えると、瞼の上の不透明な部分４２、１４２の向きは、瞼に適用されるアイライナー２６の形状の向きに直接影響する。
【００３１】
適用位置（図７〜８）では、第１層および第２層１２、１１２、１４、１１４は分離されており、第１層１２、１１２は、所望の方向で瞼と接触または接着されている。
【００３２】
ステンシル１０、１１０を使用するためのアイライナーの適用方法は、以下のステップを含みうる。
ａ）組立てられた配置において、アイライナーの適用領域の位置を示すものとして、不透明な部分４２、１４２を使用しながら、ステンシル１０、１１０を瞼の上の所望の方向に（一時的に瞼に付着させるために）配置し押圧する工程と、
ｂ）第２除去エッジ４６、１４６を引っ張ることで、ステンシル１０、１１０を適用位置に設定し、第２層１４、１１４を第１層１２、１１２から完全に除去／分離することで、瞼に第１層１２、１１２のみが付着する（図７）工程と、
ｃ）アイライナー２６を第１内側輪郭２０、１２０の境界内の瞼に適用する工程と、
ｄ）第１除去エッジ３０、１３０を引っ張ることで、瞼から第１層１２、１１２を除去する工程
【００３３】
なお、図１１において、それぞれの層が異なる厚さを有するように見えるが、それらは同一の厚さを有することができる。
【図１】
2016523570.tif 000003
【図２】
2016523570.tif 000004
【図３】
2016523570.tif 000005
【図４】
2016523570.tif 000006
【図５】
2016523570.tif 000007
【図６】
2016523570.tif 000008
【図７】
2016523570.tif 000009
【図８】
2016523570.tif 000010
【図９】
2016523570.tif 000011
【図１０】
2016523570.tif 000012
【図１１】
2016523570.tif 000013
【図１２】
2016523570.tif 000014
【図１３】
2016523570.tif 000015
【図１４】
2016523570.tif 000016
【図１５】
2016523570.tif 000017
【図１６】
2016523570.tif 000018
【図１７】
2016523570.tif 000019
【国際調査報告】
2016523570.tif 000020
2016523570.tif 000021